(57)【要約】【課題】室内環境空間に対するきめ細かな空調制御が可能な空気調整装置を提供する。【解決手段】空気調整装置は、１種類以上の特定ガス成分の濃度を測定するためのガスセンサ１９６、１９８及び２００と、室内環境調整を行なう室内機と、ガスセンサで測定される１種類以上の特定ガス成分の濃度測定値により室内環境の調整をどのように行なうべきかを判定するための判定をし、判定された室内環境の調整方法にしたがって室内機の動作を制御する制御部２１０とを含む。【選択図】        図１２
2010025421.tif 000002
【特許請求の範囲】
【請求項１】
１種類以上の特定ガス成分の濃度を測定するためのガスセンサと、
室内環境調整を行なう室内機と、
前記ガスセンサで測定される前記１種類以上の特定ガス成分の濃度測定値により室内環境の調整をどのように行なうべきかを判定するための判定手段と、
前記室内機に設けられ、前記判定手段によって判定された室内環境の調整方法にしたがって、前記室内機の動作を制御するための制御手段とを含む、空気調整装置。
【請求項２】
各々、１種類以上の特定ガス成分の濃度を測定するよう、互いに異なる所定位置に配置された複数個の前記ガスセンサを含み、
前記判定手段は、
前記複数個の前記ガスセンサで測定される前記１種類以上の特定ガス成分の濃度測定値により、室内に悪臭が存在しているか否かを判定するための手段と、
前記判定するための手段により前記室内に悪臭が存在していると判定されたことに応答して、前記複数個のガスセンサの出力に基づいて前記悪臭の存在方向を推定するための推定手段とを含み、
前記室内機は、
送風機と、
プラズマクラスターイオンを発生して前記送風機に供給するためのイオン発生手段と、
前記送風機による送風方向を調整するための送風方向調整手段とを含み、
前記制御手段は、前記イオン制御手段、前記送風機、及び前記送風方向調整手段を制御して、前記悪臭の存在方向に悪臭除去のためのプラズマクラスターイオンを含む送風を行なうための手段を含む、請求項１に記載の空気調整装置。
【請求項３】
前記ガスセンサは、生物の呼気に含まれる１種類以上の特定ガス成分の濃度を測定するための呼気センサを含み、
前記判定手段は、前記呼気センサで測定される前記１種類以上の特定ガス成分の濃度測定値により、前記生物の健康状態を判定し、室内環境の調整をどのように行なうべきかを判定するための手段を含む、請求項１に記載の空気調整装置。
【請求項４】
前記判定するための手段は、
前記生物の個体の、室内環境の嗜好にしたがった室内機の設定情報を、個体ごとに記憶するための記憶手段と、
生物の個体を識別するための個体識別手段と、
前記呼気センサで測定される前記１種類以上の特定ガス成分の濃度測定値により、前記個体識別手段により識別された個体の健康状態を判定するための手段と、
前記健康状態を判定するための手段により、前記個体識別手段により識別された個体の健康状態が所定の状態であると判定されたことに応答して、前記個体識別手段により識別された個体の室内環境の嗜好にしたがった室内機の設定情報を前記記憶手段から読出して前記制御するための手段に与えるための手段とを含む、請求項３に記載の空気調整装置。
【請求項５】
前記制御手段を遠隔操作するための遠隔操作装置をさらに含み、
前記呼気センサと、
前記判定するための手段とは前記遠隔操作装置に設けられ、
前記遠隔操作装置に設けられ、前記判定するための手段による判定結果を示す信号を前記制御するための手段に無線により送信するための送信手段をさらに含む、請求項３に記載の空気調整装置。
【請求項６】
前記遠隔操作装置に設けられ、前記呼気センサにより測定された前記１種類以上の特定ガス成分の濃度測定値を表示するための表示手段をさらに含む、請求項５に記載の空気調整装置。
【発明の詳細な説明】
【技術分野】
【０００１】
本発明は、空気調和機、空気清浄機などの空気調整装置に関し、特に、室内の状況及び利用者の体調に応じて室内環境を適切にコントロールする空気調整装置に関する。
【背景技術】
【０００２】
従来の空気調和機では室内環境について、設定者が条件を設定し、空気調和機はその設定に基づいて運転している。室内環境条件には設定者の好みが反映されており、設定者以外には適切な室内環境でないことも多かった。また、同じ設定者であっても体調によっては普段の設定ではなく特別な設定を好む場合も多い。
【０００３】
これに関連して、空気清浄機などを用いてのリラクゼーション効果、殺菌、効率的な異臭の排除など、より快適な室内環境に関する要望も向上してきている。そうした要望に対する解決策として、空気の吐出口を上方と前方との２方向に持ち、前方に人がいる時には前方に空気を吹き出し、前方に人がいないときには上方に空気を吹き出す機能を持った空気清浄機が特許文献１に開示されている。
【０００４】
また、省エネの観点からも過度な機器の運転を防ぐよう、悪臭ガス測定手段で測定されたにおいセンサの感度を学習する悪臭感度学習手段により、学習した感度に応じてファンの回転数を制御する技術が特許文献２に開示されている。
【特許文献１】特開２００６−４６７２９号公報
【特許文献２】特開平３−２６２５１５号公報
【発明の開示】
【発明が解決しようとする課題】
【０００５】
より快適な室内環境を求める要望に対応し、よりきめ細かい室内環境の調整技術が求められている。また、室内環境向上に対する要望はオフィスよりも一般家庭からの要望が顕著で、個人又は家族のためなどの少人数単位での空調に対する要望が高まっている。
【０００６】
さらに省エネの観点からより高い効果を求めるには、空気調整の運転時間そのものを短縮することが方法の一つとして考えられる。しかし、特許文献１の技術は運転時間の短縮には適していない。また、特許文献２も同様に適していない。
【０００７】
それ故にこの発明の目的は、室内環境空間に対するきめ細かな空調制御が可能な空気調整装置を提供することである。
【０００８】
この発明の他の目的は、ユーザの体調及び嗜好にあった室内環境調整を行なう機能を有する、よりプライベートな室内環境空間に対するきめ細かな空調制御が可能な空気調整装置を提供することである。
【０００９】
さらにこの発明の他の目的は、異臭を早急に排除することで室内環境空間を快適にし、かつ運転時間の短縮が可能な空気調整装置を提供することである。
【課題を解決するための手段】
【００１０】
本発明の第１の局面に係る空気調整装置は、１種類以上の特定ガス成分の濃度を測定するためのガスセンサと、室内環境調整を行なう室内機と、ガスセンサで測定される１種類以上の特定ガス成分の濃度測定値により室内環境の調整をどのように行なうべきかを判定するための判定手段と、室内機に設けられ判定手段によって判定された室内環境の調整方法にしたがって、室内機の動作を制御するための制御手段とを含む。
【００１１】
この空気調整装置は、１種類以上の特定ガスを検知するガスセンサの測定値により、室内環境の状況を判定することができ、その状況に適した室内環境の調整方法に従って、室内機の動作を制御することができる。
【００１２】
これにより、室内環境空間に対するきめ細かな空調制御が可能な空気調整装置を提供することができる。
【００１３】
好ましくは、空気調整装置は、各々、１種類以上の特定ガス成分の濃度を測定するよう、互いに異なる所定位置に配置された複数個のガスセンサを含む。判定手段は、複数個のガスセンサで測定される１種類以上の特定ガス成分の濃度測定値により、室内に悪臭が存在しているか否かを判定するための手段と、この判定するための手段により室内に悪臭が存在していると判定されたことに応答して、複数個のガスセンサの出力に基づいて悪臭の存在方向を推定するための推定手段とを含む。室内機は、送風機と、プラズマクラスターイオンを発生して送風機に供給するためのイオン発生手段と、送風機による送風方向を調整するための送風方向調整手段とを含む。制御手段は、イオン発生手段、送風機、及び送風方向調整手段を制御して、悪臭の存在方向に悪臭除去のためのプラズマクラスターイオンを含む送風を行なうための手段を含む。
【００１４】
人の嗅覚を用いて室内に悪臭が存在しているかどうかを判定すると、においに対する嗅覚の慣れが生じてしまい、悪臭を確認することが難しい。１種類以上の特定ガス成分の濃度測定値を用い室内に悪臭が存在しているかを判定することによって、人が行なうよりも正確に判定することができる。悪臭の存在方向を推定し、その方向に悪臭除去作用を持つプラズマクラスターイオンを含む送風を行なうことで、効率のよい悪臭除去ができる。これにより悪臭除去のための運転時間短縮が期待でき、省エネの面でも効果が期待される。
【００１５】
この結果、異臭を早急に排除することで室内環境空間を快適にし、かつ運転時間の短縮を可能な空気調整装置を提供することができる。
【００１６】
より好ましくは、ガスセンサは、生物の呼気に含まれる１種類以上の特定ガス成分の濃度を測定するための呼気センサを含む。判定手段は、この呼気センサで測定される１種類以上の特定ガス成分の濃度測定値により生物の健康状態を判定し、室内環境の調整をどのように行なうべきかを判定するための手段を含む。
【００１７】
生物の健康状態は呼気センサを用いることで簡単に判定できる。また、測定した呼気中の特定ガス成分の濃度の判定によって室内環境の調整が行なわれ、細かな室内機の設定を行なわなくても生物の体調にあった室内環境を簡単に得ることができる。
【００１８】
さらに好ましくは、判定するための手段は、生物の個体の、室内環境の嗜好にしたがった室内機の設定情報を個体ごとに記憶するための記憶手段と、生物の個体を識別するための個体識別手段と、呼気センサで測定される１種類以上の特定ガス成分の濃度測定値により、個体識別手段により識別された個体の健康状態を判定するための手段と、健康状態を判定するための手段により、個体識別手段により識別された個体の健康状態が所定の状態であると判定されたことに応答して、個体識別手段により識別された個体の室内環境の嗜好にしたがった室内機の設定情報を記憶手段から読出して制御するための手段に与えるための手段とを含む。
【００１９】
個体ごとの室内環境の嗜好をあらかじめ記憶させておくことで、測定した呼気特定ガス濃度の判定により室内環境の調整が行なわれるときに、ユーザの嗜好に合った室内環境調整が行われる。その結果、家庭などのプライベートな空間においていつでも簡単にユーザ好みの室内環境を得ることができる。
【００２０】
これにより、ユーザの体調及び嗜好にあった室内環境調整を行なう機能を有する、よりプライベートな室内環境空間に対するきめ細かな空調制御が可能な空気調整装置を提供することができる。
【００２１】
より好ましくは、空気調整装置は、制御手段を遠隔操作するための遠隔操作装置をさらに含む。呼気センサと、判定するための手段とは、遠隔操作装置に設けられる。空気調整装置はさらに、遠隔操作装置に設けられ、判定するための手段による判定結果を示す信号を制御するための手段に無線により送信するための送信手段をさらに含む。
【００２２】
この遠隔操作装置により、測定者の手元で手軽に呼気中のガス成分濃度を測定することができる。簡単に測定を行なうことで、室内環境を見直す頻度が上がり、体調に合った室内環境を常に得ることができる。
【００２３】
さらに好ましくは、空気調整装置は、遠隔操作装置に設けられ、呼気センサにより測定された１種類以上の特定ガス成分の濃度測定値を表示するための表示手段をさらに含む。
【００２４】
呼気センサにて測定した特定ガス成分の濃度測定値を手元で確認することで、現在の体調を知ることができる。また、体調が数値で表示されることで日頃の健康管理にも役立てることができる。
【発明の効果】
【００２５】
以上のように、本空気調整装置によれば、１種類以上の特定ガス成分の濃度を測定するガスセンサの測定値により、室内環境の調整をどのように行なうべきかの判定と、室内機の制御とを行なうことができる。ユーザは細かな室内機の設定を行なうことをせずに、快適な室内環境を得ることができる。
【発明を実施するための最良の形態】
【００２６】
以下の説明及び図面においては、同一部品には同じ参照符号および名称を付してある。それらの機能も同様である。したがって、それらについての詳細な説明は繰返さない。
【００２７】
［第１の実施の形態］
−構成−
図１は、本発明の一実施の形態に係る空気調和機２０の構成を模式的に示す図である。図１を参照して、空気調和機２０は、室内機３０及び室外機３４と、室内機３０との間で赤外線通信によりデータを送受信することができる、呼気測定するためのガスセンサ（図示せず）を有する遠隔操作装置３２とを含む。
【００２８】
図２は、空気調和機２０の構成を表すブロック図である。図２を参照して、室内機３０は、室内機３０の全体の制御をするための制御部５８と、制御部５８に接続され遠隔操作装置３２からの呼気測定信号を含む種々の信号を受信し制御部５８に電気信号として与えるための受信部５０と、遠隔操作装置３２に制御部５８からの信号を送信するための送信部５２と、操作部５４と、種々の情報を表示するための表示部５６とを含む。
【００２９】
室内機３０はさらに、制御部５８に接続され、呼気中の成分に応じて室内機３０及び室外機３４を制御するためのパラメータを記録した制御パラメータテーブル及び呼気判定における判定しきい値を記憶するための記憶部８０と、制御部５８に接続され呼気測定結果を蓄積するためのデータベース部６０と、制御部５８の制御にしたがいプラズマクラスターイオンを発生するためのイオン発生装置６２と、制御部５８の制御にしたがい室内の湿度環境を調整するための湿度調整装置６４と、室内の湿度を測定し制御部５８に与えるための室内湿度検出器６６と、室内温度を検出し制御部５８に与えるための室内温度検出器６８と、制御部５８の制御にしたがって吹出す風の温度を調整するための室内熱交換器７８と、制御部５８の制御にしたがって室内ファンを駆動するための室内ファン駆動回路７０と、室内ファン駆動回路７０により駆動され空気を室内に吹出すための室内ファン７２とを含む。
【００３０】
室内機３０はさらに、室内ファン７２で噴出された空気の送風方向を決める風向板７６と、制御部５８に接続され風向板７６を駆動するための風向板駆動回路７４とを含む。
【００３１】
室内機３０が遠隔操作装置３２から受信する信号には、呼気測定日時と、測定した呼気中の特定ガス（一酸化炭素、一酸化窒素）濃度とを含む呼気測定信号と、呼気測定時に発行される個人識別番号とが含まれている。また、遠隔操作装置３２での呼気判定の結果によっては体調異常信号および嗜好性ＩＤが付加される。嗜好性ＩＤについては後述する。
【００３２】
図３は室内機３０のデータベース部６０に格納されるデータのデータ構造を示す図である。図３を参照して、データベース部６０には呼気測定日時（測定日、測定時間）と、個人識別番号と、呼気中の特定ガス（一酸化炭素、一酸化窒素）濃度（単位は一酸化炭素はｐｐｍ、一酸化窒素はｐｐｂ）とが１レコードとして記録される。なお、本実施の形態ではデータベース部６０に蓄積されるデータは空調制御に直接利用されず、ほかの装置に対して提供されるためだけのものである。
【００３３】
図４は実施の形態で使用される嗜好性ＩＤと空調制御との関係を示す制御パラメータテーブルを表す図である。記憶部８０は図４で示される制御パラメータテーブルと、呼気判定において疾患と判定するための一酸化炭素及び一酸化窒素の濃度しきい値Ｖ１ｍｉｎ、Ｖ２（単位はＶ１ｍｉｎはｐｐｍ、Ｖ２はｐｐｂ）とを記憶する。また、一酸化炭素濃度は喫煙時にも高い濃度が検出されるため、記憶部８０はさらに、喫煙状態と区別するための濃度しきい値Ｖ１ｍａｘ（単位はｐｐｍ）を記憶する。
【００３４】
嗜好性ＩＤは、表示欄にあるような「冷え性」及び「暑がり」などの個人的嗜好を区別するために設定したＩＤである。図４を参照して、制御パラメータテーブルは暖房運転時、冷房運転時、それぞれに用意され、嗜好性ＩＤごとに温度、湿度、風量、風速、風向、プラズマクラスターイオン発生量の各項目の調整値が設定されている。また、遠隔操作装置３２において個人識別番号と嗜好性ＩＤとの関連付けを持たせることができる。
【００３５】
図５は遠隔操作装置３２の外観図である。図５を参照して、遠隔操作装置３２は、運転状態、呼気測定結果及び個人別設定等の表示を行なうための表示部１００と、自動運転モードを起動する際にユーザが操作する自動運転ボタン１０２と、冷房運転を起動する際にユーザが操作する冷房ボタン１０４と、暖房運転を起動する際にユーザが操作する暖房ボタン１０６と、運転停止ボタン１０８と、温度設定ボタン１１０とを含む。自動運転モードでは、設定された温度に従って冷暖房運転を自動で切り替える運転を行なう。
【００３６】
遠隔操作装置３２はさらに、呼気測定の際に用いられる呼気センサ装置１１２と、呼気測定における測定対象となる個人を指定するためにユーザが操作する上ボタン１１４と、下ボタン１１８と、決定ボタン１１６と、呼気測定を開始する際にユーザが操作する呼気計測ボタン１２０と、呼気測定結果を表示部１００に再表示する際にユーザが操作する結果再表示ボタン１２２とを含む。
【００３７】
図５の表示部１００には、呼気計測者選択画面１４０が表示される。ユーザは呼気計測者選択画面１４０で、上ボタン１１４と下ボタン１１８とで呼気計測者毎にあらかじめ決められた個人識別番号を選択し、決定ボタン１１６を押して決定する。
【００３８】
図６は遠隔操作装置３２の開蓋図である。図６を参照して、遠隔操作装置３２はさらに、ユーザ情報を設定する際にユーザが操作する個人設定ボタン１２４と、カーソル移動などの一般的な操作のための操作ボタン１２６とを含む。個人設定ボタン１２４を押すと、ユーザ情報設定モードと呼ばれる動作モードに入る。
【００３９】
ユーザ情報設定モードでは、呼気計測の際に計測者毎に決められる個人識別番号に対して、個人の嗜好およびそれに対応した嗜好性ＩＤを関連付けることができる。また、特に関連付けがされない場合、嗜好性ＩＤは「特になし」を意味する「１」が適用される。
【００４０】
図７は遠隔操作装置３２の構成を表すブロック図である。図７を参照して、遠隔操作装置３２は、遠隔操作装置３２の全体の制御を行なうための制御部１５４と、制御部１５４に接続され、室内機３０に制御部１５４からの信号を送信するための送信部１５６と、室内機３０からの信号を受信し制御部１５４に与えるための受信部１５８と、ユーザ情報設定モードで設定された情報を記憶するための記憶部１５０と、操作部１５２と、表示部１００と、呼気センサ装置１１２とを含む。
【００４１】
図８は呼気センサ装置１１２の垂直切断面における断面図である。図８を参照して、呼気センサ装置１１２は、センサ基板１７０と、センサ基板１７０の上に設けられたヒータ１７２と、ヒータ１７２の上に設けられたガスセンサ１７４とを含む。
【００４２】
ガスセンサ１７４は、特定のガス成分を選択的に吸着することができる。その目的のために、ガスセンサ１７４は、特定のガス成分を吸着する錯体、酵素等により表面修飾されたカーボンナノチューブ（Ｃａｒｂｏｎ  Ｎａｎｏ  Ｔｕｂｅ。以下「ＣＮＴ」と呼ぶ。）からなるガスセンサ素子を含んでいる。
【００４３】
図９は遠隔操作装置３２において呼気測定を行ない、測定結果を室内機３０へ送信するためのプログラムの制御構造をフローチャート形式で表す図である。なお、このプログラムでは以下のようにして体調の判定を行なう。
【００４４】
体調判定には呼気中の一酸化炭素（ＣＯ）と一酸化窒素（ＮＯ）のガス濃度を用いる。呼気中のガス成分は、疾病になる可能性が高い何かの兆候、又は既に患っている疾病に起因して特定成分が発生したり、その量が変化したりする。体調判定に用いる一酸化炭素と一酸化窒素のガス濃度について、一酸化炭素は生活習慣病等の原因である酸化ストレスに起因する喘息や気管支炎等の判定に、一酸化窒素は喘息などの肺疾患の判定に用いることができる。これらのガス濃度の測定値により、体調が良好か否かを判定する。
【００４５】
測定した呼気中の一酸化炭素のガス濃度をＤ１、一酸化窒素のガス濃度をＤ２とし、これらとしきい値Ｖ１ｍｉｎ、Ｖ１ｍａｘ及びＶ２との関係から体調判定を行なう。
【００４６】
（１）Ｖ１ｍｉｎ＜Ｄ１＜Ｖ１ｍａｘの場合、風邪気味と判定。
【００４７】
（２）Ｖ２＜Ｄ２の場合、風邪気味と判定。
【００４８】
（３）Ｄ１≦Ｖ１ｍｉｎかつＤ２≦Ｖ２の場合、体調良好と判定。
【００４９】
（４）Ｖ１ｍａｘ≦Ｄ１かつＤ２≦Ｖ２の場合、体調良好と判定。
【００５０】
このプログラムは、上ボタン１１４、下ボタン１１８、決定ボタン１１６のいずれかが押された時に起動される。図９を参照して、このプログラムは、個人識別番号を発行するステップＳ１００と、ステップＳ１００に続き、呼気計測ボタン１２０が押されたか否かを判定し、判定結果に応じて制御の流れを分岐させるステップＳ１０１と、ステップＳ１０１にて呼気計測ボタン１２０が押されていないと判定された場合（ＮＯの場合）に実行され、プログラム起動からあらかじめ設定された所定時間が経過したか否かを判定し、判定結果に応じて制御の流れを分岐させるステップＳ１０２とを含む。ステップＳ１０２にて所定時間が経過していないと判定された場合（ＮＯの場合）は、制御はステップＳ１０１に戻る。ステップＳ１０２にて所定時間が経過したと判定された場合（ＹＥＳの場合）は、このプログラムを終了する。
【００５１】
ステップＳ１００では、表示部１００に呼気計測者選択画面１４０が表示され、上ボタン１１４と下ボタン１１８とで呼気計測者毎にあらかじめ決められた個人識別番号を選択し、決定ボタン１１６を押して決定する。番号が決定されると、個人識別番号が発行される。
【００５２】
このプログラムはさらに、ステップＳ１０１にて呼気計測ボタン１２０が押されたと判定された場合（ＹＥＳの場合）に実行され、呼気センサ装置１１２の測定準備を行なうステップＳ１０３と、ステップＳ１０３に続き、呼気センサ装置１１２を用いて呼気中の一酸化炭素及び一酸化窒素濃度を測定するステップＳ１０４と、ステップＳ１０４に続き、ステップＳ１０４にて測定された呼気中の一酸化炭素濃度Ｄ１が、「Ｖ１ｍｉｎ＜Ｄ１＜Ｖ１ｍａｘ」の関係式を満たすか否かを判定し、判定結果に応じて制御の流れを分岐させるステップＳ１０５とを含む。
【００５３】
このプログラムはさらに、ステップＳ１０５にて、一酸化炭素濃度Ｄ１が「Ｖ１ｍｉｎ＜Ｄ１＜Ｖ１ｍａｘ」の関係式を満たさないと判定された場合（ＮＯの場合）に実行され、ステップＳ１０４で測定された呼気中の一酸化窒素濃度Ｄ２が、「Ｖ２＜Ｄ２」の関係式を満たすか否かを判定し、判定結果に応じて制御の流れを分岐させるステップＳ１０６と、ステップＳ１０６にて、「Ｖ２＜Ｄ２」の関係式を満たさないと判定された場合（ＮＯの場合）に実行され、体調が良好と判定されたことを示すメッセージ（例えば「体調は良好ですね」というメッセージ）を作成するステップＳ１０７と、ステップＳ１０７に続き、室内機３０に呼気測定結果のデータを表す信号を送信するステップＳ１０８と、ステップＳ１０８に続き、作成されたメッセージとＳ１０４で測定された呼気測定の結果とを表示部１００に表示するステップＳ１０９とを含む。
【００５４】
ステップＳ１０５で、Ｖ１ｍｉｎ＜Ｄ１＜Ｖ１ｍａｘの関係式を満たさないと判定された場合は、一酸化炭素濃度Ｄ１はＤ１≦Ｖ１ｍｉｎもしくは、Ｖ１ｍａｘ≦Ｄ１の状態である。
【００５５】
このプログラムはさらに、ステップＳ１０５にて一酸化炭素濃度Ｄ１がＶ１ｍｉｎ＜Ｄ１＜Ｖ１ｍａｘの関係式を満たすと判定された場合（ＹＥＳの場合）又は、ステップＳ１０６にて一酸化窒素濃度Ｄ２がＶ２＜Ｄ２の関係式を満たすと判定された場合（ＹＥＳの場合）に実行され、風邪気味と判定されたことを示すメッセージ（例えば「風邪気味ですね」というメッセージ）を作成するステップＳ１１０と、ステップＳ１１０に続き、体調に異常があると判定されたことを示す体調異常信号を発行するステップＳ１１１と、ステップＳ１１１に続き、個人識別番号と関連付けられている嗜好性ＩＤを記憶部１５０から読出してくるステップＳ１１２とを含む。
【００５６】
図１０は遠隔操作装置３２からの信号を室内機３０が受信したときに、室内機３０の制御部５８により実行されるプログラムの制御構造をフローチャート形式で表した図である。図１０を参照して、このプログラムは、空気調和機が動作しているか否かを判定して制御の流れを分岐させるステップＳ２００を含む。ステップＳ２００にて空気調和機が動作していないと判定された場合（ＮＯの場合）、プログラムは終了する。
【００５７】
このプログラムはさらに、ステップＳ２００にて空気調和機が動作していると判定された場合（ＹＥＳの場合）に実行され、データベース部６０に遠隔操作装置３２から受信した呼気濃度測定値を記録するステップＳ２０１と、ステップＳ２０１に続き、遠隔操作装置３２から受信した信号が体調異常信号を含んでいるか否かを判定し、判定結果に応じて制御の流れを分岐させるステップＳ２０２とを含む。ステップＳ２０２にて体調異常信号を含んでいないと判定された場合（ＮＯの場合）、プログラムは終了する。
【００５８】
このプログラムはさらに、ステップＳ２０２にて受信した信号が体調異常信号を含んでいると判定された場合（ＹＥＳの場合）に実行され、遠隔操作装置３２から受信した呼気測定結果に基づき、記憶部８０に記憶されている制御パラメータテーブルにしたがって、イオン発生装置６２、湿度調整装置６４、室内ファン駆動回路７０、風向板駆動回路７４を制御して室内環境調整を行なうステップＳ２０３を含む。ステップＳ２０３が実行された後、このプログラムは終了する。
【００５９】
−動作−
空気調和機２０は以下のように動作する。
【００６０】
利用者は、呼気測定の前に自分が使用する個人識別番号を決めておき、個人識別番号に対して嗜好性ＩＤを関連付けておく。図４を参照し、「特になし」、「冷え性」、「暑がり」などの個人の嗜好性に対応する嗜好性ＩＤを個人設定ボタン１２４と操作ボタン１２６とを用いて設定し、記憶部１５０に記憶させる。また、事前に嗜好性ＩＤが設定されていない場合は「特になし」の「１」が適用される。
【００６１】
呼気測定を用いた空調制御はまず、利用者が上ボタン１１４、下ボタン１１８、決定ボタン１１６のいずれかを押し呼気測定プログラムを起動させる。起動時に呼気計測者選択画面１４０が表示され、上ボタン１１４、下ボタン１１８とで個人識別番号を選択し、決定ボタン１１６を押すことで選択した個人識別番号が発行される（ステップＳ１００）。その後、所定時間内に呼気計測ボタン１２０が押されない場合、プログラムは終了する。
【００６２】
所定時間内に呼気計測ボタン１２０が押されると測定準備ステップＳ１０３が実行される。このステップでは、ヒータ１７２に電流が流されることでヒータ１７２が加熱され、ガスセンサ１７４のＣＮＴに付着したガス分子が脱離する。
【００６３】
測定準備が終了後、測定者は呼気センサ装置１１２に呼気を吹き込み、測定を行なう。
【００６４】
体調判定の基準は既に述べたとおりである。
【００６５】
体調良好と判定された場合、図９のステップＳ１０７で「体調は良好ですね」のメッセージが作成される。ステップＳ１０８で、測定日時、個人識別番号、呼気濃度測定値（一酸化炭素、一酸化窒素）が室内機３０に送信される。ステップＳ１０９でメッセージと呼気濃度測定値Ｄ１、Ｄ２とが表示部１００に表示される。
【００６６】
風邪気味と判定された場合、図９に示すステップＳ１１０で「風邪気味ですね」のメッセージが作成され、ステップＳ１１１で体調異常信号が発行される。ステップＳ１１２では記憶部１５０から個人識別番号と関連付けられている嗜好性ＩＤが読出される。ステップＳ１０８では、測定日時、個人識別番号、呼気濃度測定値（一酸化炭素、一酸化窒素）、体調異常信号、嗜好性ＩＤが送信される。ステップＳ１０９で、メッセージと呼気濃度測定値Ｄ１、Ｄ２とが表示部１００に表示される。
【００６７】
遠隔操作装置３２から信号を受信したとき、室内機３０は以下の様に動作してデータベース部６０への登録と、室内環境調整とを行なう。
【００６８】
すなわち信号を受信したときに空気調和機が動作していなければ（ステップＳ２００にてＮＯの場合）、データベースへの登録、室内環境調整をともに行なわない。
【００６９】
空気調和機が動作している場合は、図１０に示すデータベース登録ステップＳ２０１が実行される。このとき、受信信号の中から測定日時、個人識別番号、呼気濃度測定値（一酸化炭素、一酸化窒素）が取出され、データベース部６０に記録される。
【００７０】
データベース登録後、受信信号の中に体調異常信号が含まれているか否かを判定し、信号が含まれていない場合（Ｓ２０２にてＮＯの場合）、すなわち体調が良好の時は室内環境調整を行なわない。体調異常信号が含まれている場合（Ｓ２０２にてＹＥＳの場合）、室内環境調整ステップＳ２０３で以下の処理が実行される。まず受信信号の中から個人識別番号に関連付けられた嗜好性ＩＤが取出される。次に、空気調和機の現在の動作状態が暖房状態か冷房状態かが判定され、記憶部８０に記憶されている制御パラメータテーブルから嗜好性ＩＤ及び冷房・暖房別に対応するテーブルを選ぶ。選択された制御パラメータテーブルのパラメータを用い、温度、湿度、風量、風速、風向、プラズマクラスターイオン発生量の各項目を調整するよう、制御部５８が制御信号を出す。この処理が実行されることにより利用者の嗜好と、呼気から判定された体調とにしたがい、室内環境が調整される。
【００７１】
上記実施の形態において、空気調和機２０は、特定のガス成分濃度の測定ができるガスセンサを用いた呼気センサ装置１１２で呼気測定を行なうことで、測定者の体調判定ができる。さらに、体調が「風邪気味」と判定された場合には測定者の嗜好に合わせた空調の制御を行ない、測定者の体調を考慮した室内環境に対するきめ細かな空調制御が実現できる。
【００７２】
［第２の実施の形態］
−構成−
図１１は、本発明の第２の実施の形態に係る空気清浄機１９０の外観図である。図１１を参照して、空気清浄機１９０は、ベース２０４と、ベース２０４の支持により立設している本体筐体２０６と、本体筐体２０６の前面に装着される前面パネル２０２とを含む。前面パネル２０２の下部中央には室内の空気を取込むための吸気口１９２が形成されている。本体筐体２０６の前面パネル２０２が装着される箇所の上部には、本体筐体２０６内で発生させたプラズマクラスターイオンを含んだ空気を吹出すための吹出口１９４が形成されている。
【００７３】
空気清浄機１９０はさらに、吹出口１９４から吹出される空気の送風方向を調整するための風向板２１８を含む。
【００７４】
空気清浄機１９０はさらに、前面パネル２０２上に同一水平軸上均等な間隔で配置された空気中の悪臭のもととなる特定のガス成分の濃度を測定し測定結果を制御部２１０に与えるための、ガスセンサからなるにおいセンサ１９６、１９８及び２００を含む。
【００７５】
図１２は、空気清浄機１９０の構成を表すブロック図である。図１２を参照して、空気清浄機１９０はさらに、空気清浄機１９０の全体の制御を行なうための制御部２１０と、制御部２１０に接続され、制御部２１０の制御にしたがって空気清浄機１９０からの吹出し量を調整するための送風機２１２と、制御部２１０の制御にしたがってプラズマクラスターイオンを発生するためのイオン発生装置２１４とを含む。制御部２１０は、室内の悪臭濃度が高いか否かを判定するためのしきい値Ｖａ、Ｖｂ、及びＶ３を記憶している。
【００７６】
空気清浄機１９０はさらに、制御部２１０に接続され風向板２１８を駆動するための風向板駆動回路２１６を含む。
【００７７】
図１３は、空気清浄機１９０において、においセンサ１９６、１９８及び２００により室内の悪臭のもととなる特定のガス成分（ここでは２種類とする）の濃度を測定し、室内の悪臭濃度が高いか否かの判定を行ない、悪臭濃度が高い時は悪臭発生源を判定し送風方向を変更させるために制御部２１０で実行されるプログラム制御構造をフローチャート形式で表した図である。なおこのプログラムでは以下のようにして悪臭濃度値の算出、悪臭濃度判定及び悪臭発生源の判定を行なう。
【００７８】
悪臭に含まれる特定ガス成分の具体例として、タバコ臭の場合は酢酸、アセトアルデヒド、アンモニアなどが検出される。また、焼肉臭の場合はトリメチルアミン、メチルメルカプタン、アセトアルデヒドなどが検出される。
【００７９】
においセンサ１９６、１９８及び２００が測定する２種類の特定ガス成分の濃度測定値を、それぞれにおいセンサごとに、においセンサ１９６の測定値を（Ｘ３１、Ｘ３２）、においセンサ１９８の測定値を（Ｘ４１、Ｘ４２）、においセンサ２００の測定値を（Ｘ５１、Ｘ５２）とする。そして、これらの測定値を用いてにおいセンサ１９６、１９８、及び２００における悪臭濃度値Ｄ３、Ｄ４、Ｄ５をそれぞれ、Ｄ３＝αＸ３１＋βＸ３２、Ｄ４＝αＸ４１＋βＸ４２、Ｄ５＝αＸ５１＋βＸ５２、として算出する。α、βは実験であらかじめ求めておく。
【００８０】
しきい値Ｖａ、Ｖｂはそれぞれ、測定する２種類の特定ガス成分の測定値に対応した室内の悪臭濃度が高いか否かを判定するためのしきい値である。また、しきい値Ｖ３は算出した悪臭濃度値に対応した、室内の悪臭濃度が高いか否かを判定するためのしきい値である。
【００８１】
測定値Ｘ３１、Ｘ４１、Ｘ５１、のいずれかがしきい値Ｖａよりも大きい場合、測定値Ｘ３２、Ｘ４２、Ｘ５２、のいずれかがしきい値Ｖｂよりも大きい場合、及び悪臭濃度値Ｄ３、Ｄ４、Ｄ５のいずれかがしきい値Ｖ３よりも大きい場合のいずれかの場合に、室内の悪臭濃度が高いと判定される。
【００８２】
室内の悪臭濃度が高いと判定された場合は、以下のように悪臭の発生源を判定する。
【００８３】
同一水平軸上に均等な間隔で配置されたにおいセンサ１９６、１９８及び２００は、各においセンサの配置関係と、それぞれの悪臭濃度値を考慮することで悪臭の発生方向が以下のように判定できる。
【００８４】
（１）Ｄ３＞Ｄ４＞Ｄ５を満たす場合、悪臭発生源は空気清浄機１９０から見て正面右方と判定する。
【００８５】
（２）Ｄ３＜Ｄ４＜Ｄ５を満たす場合、悪臭発生源は空気清浄機１９０から見て正面左方と判定する。
【００８６】
（３）Ｄ３＞Ｄ４＞Ｄ５も、Ｄ３＜Ｄ４＜Ｄ５も、共に満たさない場合、悪臭発生源は空気清浄機１９０の正面前方と判定する。
【００８７】
このプログラムは空気清浄機１９０の運転が開始されたときに起動される。図１３を参照して、このプログラムは、プラズマクラスターイオンを一定時間放出するステップＳ３０２と、ステップＳ３０２に続き、においセンサ１９６、１９８及び２００で２種類の特定ガス成分の濃度測定を行ない、その結果から悪臭濃度値Ｄ３、Ｄ４、Ｄ５を算出するステップＳ３０４と、ステップＳ３０４に続き、においセンサにおける１種類目の特定ガス成分の測定値Ｘ３１、Ｘ４１、Ｘ５１のいずれかがしきい値Ｖａよりも大きいか否かを判定し、判定結果に応じて制御の流れを分岐させるステップＳ３０６と、ステップＳ３０６で測定値Ｘ３１、Ｘ４１、Ｘ５１のいずれもがしきい値Ｖａよりも大きくないと判定された場合（ＮＯの場合）に実行され、においセンサにおける２種類目の特定ガス成分の測定値Ｘ３２、Ｘ４２、Ｘ５２のいずれかがしきい値Ｖｂよりも大きいか否かを判定し、判定結果に応じて制御の流れを分岐させるステップＳ３０８と、ステップＳ３０８で測定値Ｘ３２、Ｘ４２、Ｘ５２のいずれもがしきい値Ｖｂよりも大きくないと判定された場合（ＮＯの場合）に実行され、悪臭濃度値Ｄ３、Ｄ４、Ｄ５のいずれかがしきい値Ｖ３より大きいか否かを判定し、判定結果に応じて制御の流れを分岐させるステップＳ３１０とを含む。
【００８８】
このプログラムはさらに、ステップＳ３１０にて悪臭濃度値Ｄ３、Ｄ４、Ｄ５のいずれもがしきい値Ｖ３よりも大きくないと判定された場合（ＮＯの場合）に実行され、一定時間（ｔ秒）待つステップＳ３１２を含む。ステップＳ３１２を実行後、制御はステップＳ３０４に戻る。
【００８９】
このプログラムはさらに、ステップＳ３０６にて測定値Ｘ３１、Ｘ４１、Ｘ５１のいずれかがしきい値Ｖａよりも大きいと判定された場合（ＹＥＳの場合）、ステップＳ３０８にて測定値Ｘ３２、Ｘ４２、Ｘ５２のいずれかがしきい値Ｖｂよりも大きいと判定された場合（ＹＥＳの場合）、若しくはステップＳ３１０にて悪臭濃度値Ｄ３、Ｄ４、Ｄ５のいずれかがしきい値Ｖ３より大きいと判定された場合（ＹＥＳの場合）に実行され、プラズマクラスターイオンの放出を開始するステップＳ３１４と、ステップＳ３１４に続き、悪臭濃度値が「Ｄ３＞Ｄ４＞Ｄ５」の関係を満たしているか否かを判定し、判定結果に応じて制御の流れを分岐させるステップＳ３１６と、ステップＳ３１６にて悪臭濃度値が「Ｄ３＞Ｄ４＞Ｄ５」の関係を満たしていないと判定された場合（ＮＯの場合）に実行され、悪臭濃度値が「Ｄ３＜Ｄ４＜Ｄ５」の関係を満たしているか否かを判定し、判定結果に応じて制御の流れを分岐させるステップＳ３１８とを含む。
【００９０】
このプログラムはさらに、ステップＳ３１６にて悪臭濃度値が「Ｄ３＞Ｄ４＞Ｄ５」の関係を満たすと判定された場合（ＹＥＳの場合）に実行され、吹出口１９４からの空気の送風方向を空気清浄機１９０から見て正面右方に行くよう風向板２１８を制御するステップＳ３２０と、ステップＳ３１８にて悪臭濃度値が「Ｄ３＜Ｄ４＜Ｄ５」の関係を満たすと判定された場合（ＹＥＳの場合）に実行され、吹出口１９４からの空気の送風方向を空気清浄機１９０から見て正面左方に行くよう風向板２１８を制御するステップＳ３２４と、ステップＳ３１８にて悪臭濃度値が「Ｄ３＜Ｄ４＜Ｄ５」の関係を満たさないと判定された場合（ＮＯの場合）に実行され、吹出口１９４からの空気の送風方向を空気清浄機１９０の正面前方に行くよう風向板２１８を制御するステップＳ３２２とを含む。
【００９１】
このプログラムはさらに、一定時間待つステップＳ３２６と、ステップＳ３２６に続き、プラズマクラスターイオンの放出を停止するステップＳ３２８とを含む。ステップＳ３２０、ステップＳ３２２及びステップＳ３２４のいずれかが実行されたときに続いて、ステップＳ３２６が実行され、ステップＳ３２６に続き、一定時間後にステップＳ３２８が実行され、制御はステップＳ３０４に戻る。
【００９２】
−動作−
空気清浄機１９０は以下のように動作する。
【００９３】
空気清浄機１９０は運転開始とともにプラズマクラスターイオンを発生させ、一定時間吹出口１９４より放出し脱臭運転を行なう（Ｓ３０２）。一定時間経過後、においセンサ１９６、１９８及び２００を用いて室内の特定ガス成分の濃度測定を行ない、悪臭濃度値を算出する。
【００９４】
測定値Ｘ３１、Ｘ４１、Ｘ５１、のいずれかがしきい値Ｖａよりも大きい場合、測定値Ｘ３２、Ｘ４２、Ｘ５２、のいずれかがしきい値Ｖｂよりも大きい場合、若しくは悪臭濃度値Ｄ３、Ｄ４、Ｄ５のいずれかがしきい値Ｖ３よりも大きい場合に、室内の悪臭濃度が高いと判定され、プラズマクラスターイオンを発生させ脱臭運転を再開する。このとき、悪臭濃度値Ｄ３、Ｄ４、Ｄ５の関係から悪臭の発生源の方向を判定し、吹出される風が発生源に向かうよう風向板２１８を調整して集中的にプラズマクラスターイオンを浴びせる。これにより、効率のよい脱臭効果が期待される。悪臭の発生源の方向判定を行なってから一定時間その方向に放出したのち、プラズマクラスターイオンの発生を停止して、再度室内の特定ガス成分の濃度測定を行ない、悪臭濃度値の算出を行なう。
【００９５】
悪臭濃度値Ｄ３、Ｄ４、Ｄ５のいずれもがしきい値Ｖ３より小さい時、室内の悪臭濃度は低くなったと判定できる。室内の悪臭濃度は低くなったと判定したときは、一定時間を置きながら室内の特定ガス成分の濃度測定及び悪臭濃度値の算出を繰返し、室内の悪臭濃度が高いと判定された時に脱臭運転を行なう。
【００９６】
上記の動作を繰返すことで、悪臭の発生源に効率よくプラズマクラスターイオンを浴びせ続けることができ、空気清浄機の脱臭運転の時間短縮につなげることができる。
【００９７】
［第３の実施の形態］
−構成−
図１４は、本発明の第３の実施の形態に係る空気清浄機２３０の外観図である。図１４を参照して、空気清浄機２３０は、円柱形状の本体筐体２５０と、上面中央に設置されたにおい検出のためのにおい検出装置２４０とを含む。また空気清浄機２３０は３６０度回転可能な本体カバー２６０に囲まれている。本体カバー２６０の上面には、本体筐体２５０内で発生させたプラズマクラスターイオンを含んだ空気を筐体上方に吹出すための上方吹出口２５２と、本体カバー２６０の側面上部には本体筐体２５０内で発生させたプラズマクラスターイオンを含んだ空気を側面から前方向に吹出すための前方吹出口２５４が形成されている。前方吹出口２５４から反対方向の側面下部には室内の空気を取込むための吸気口２５６が形成されている。上方吹出口２５２及び前方吹出口２５４にはそれぞれ、送風方向及び角度を調整するための風向板２５８、２５９が設けられている。
【００９８】
図１５は、におい検出装置２４０の外観図である。図１５を参照して、におい検出装置２４０は、半球状部材２７０と、半球状部材２７０表面に設けられ、空気中の悪臭のもととなる特定のガス成分の濃度を測定し測定結果を制御部３３０に与えるための、ガスセンサからなるにおいセンサ２８０〜においセンサ３１６とを含む。においセンサ２８０〜においセンサ２９４は半球状部材２７０の底面から同じ高さの円周上に均等に配置されている。においセンサ２８０とにおいセンサ２８８とを結ぶ軸とにおいセンサ２８４とにおいセンサ２９２とを結ぶ軸とはいずれも半球状部材２７０の直径をなしこれらの２軸は直交し、その交点から垂直軸を伸ばし半球状部材２７０と交わるところ、すなわち半球状部材２７０の頂点にセンサ３１６が上向きに設置される。また、においセンサ２９６〜においセンサ３０６とにおいセンサ３０８〜においセンサ３１４とは、半球状部材２７０上で底面からの高さが異なる２つの円周上にそれぞれ均等に配置される。
【００９９】
図１６は、空気清浄機２３０の構成を表すブロック図である。図１６を参照して、空気清浄機２３０はさらに、空気清浄機２３０の全体の制御を行なうための制御部３３０と、制御部３３０に接続され、制御部３３０の制御にしたがって空気清浄機２３０からの吹出し量を調整するための送風機３３２と、制御部３３０の制御にしたがってプラズマクラスターイオンを発生するためのイオン発生装置３３４とを含む。制御部３３０は、室内の悪臭濃度が高いか否かを判定するためのしきい値Ｖｃ、Ｖｄ、Ｖ４を記憶している。
【０１００】
空気清浄機２３０はさらに、制御部３３０に接続され、上方吹出口２５２と前方吹出口２５４とに設けられている風向板２５８、２５９の動作を制御するための吹出方向制御装置３３６と、制御部３３０に接続され、悪臭源の方向の判定結果に応じて本体カバー２６０を回転させるための本体カバー駆動装置３３８とを含む。
【０１０１】
図１７は、におい検出装置２４０の半球状部材２７０上に配置されたにおいセンサ２８０〜においセンサ３１６の相対的な配置を示す図である。においセンサは半球状部材２７０上の円周上に均等に配置されているため、例えばにおいセンサ２９４の右隣りにはにおいセンサ２８０が配置されている。以下、においセンサ３０６、においセンサ３１４についても同様である。
【０１０２】
図１８は、空気清浄機２３０において、においセンサ２８０〜においセンサ３１６により、室内の悪臭のもととなる特定のガス成分（ここでは２種類とする）の濃度を測定し、室内の悪臭濃度が高いか否かの判定を行ない、悪臭濃度が高い時は悪臭発生源を判定し、悪臭源に向けて送風方向を変更するために制御部３３０で実行されるプログラム制御構造をフローチャート形式で表した図である。なお、このプログラムでは以下のようにして悪臭濃度値の算出、悪臭濃度判定及び悪臭発生源の判定を行なう。
【０１０３】
においセンサ２８０〜においセンサ３１６が測定する２種類の特定ガス成分の濃度測定値について、においセンサ２８０の測定値を（Ｙ１１、Ｙ１２）、においセンサ２８２の測定値を（Ｙ２１、Ｙ２２）とする。以下同様ににおいセンサ３１６の測定値（Ｙ１９１、Ｙ１９２）まで測定する。また、においセンサ２８０における悪臭濃度値をＺ１とおき、Ｚ１＝αＹ１１＋βＹ１２、として算出する。悪臭濃度値も以下同様に、においセンサ３１６における悪臭濃度値Ｚ１９＝αＹ１９１＋βＹ１９２まで算出する。α、βは実験であらかじめ求めておく。
【０１０４】
しきい値Ｖｃ、Ｖｄはそれぞれ、測定する２種類の特定ガス成分の測定値に対応した、室内の悪臭濃度が高いか否かを判定するためのしきい値である。また、しきい値Ｖ４は算出した悪臭濃度値に対応した、室内の悪臭濃度が高いか否かを判定するためのしきい値である。
【０１０５】
測定値Ｙ１１〜測定値Ｙ１９１のいずれかがしきい値Ｖｃよりも大きい場合、測定値Ｙ１２〜Ｙ１９２のいずれかがしきい値Ｖｄよりも大きい場合、及び悪臭濃度値Ｚ１〜Ｚ１９のいずれかがしきい値Ｖ４よりも大きい場合のいずれかの場合に、室内の悪臭濃度が高いと判定される。
【０１０６】
室内の悪臭濃度が高いと判定された場合は、以下のように悪臭発生源の方向を判定する。
【０１０７】
悪臭発生源の方向の判定は、それぞれのにおいセンサで算出した悪臭濃度値Ｚ１〜Ｚ１９と、周囲のにおいセンサの悪臭濃度値とから算出する、各においセンサにおける悪臭平均値Ｑ１〜Ｑ１９を用いて判定する。
【０１０８】
図１５及び図１７を参照して、例えばにおいセンサ３１６の場合、悪臭平均値Ｑ１９＝（Ｚ１９＋Ｚ１８＋Ｚ１７＋Ｚ１６＋Ｚ１５）／５、で算出する。
【０１０９】
においセンサ３０８〜においセンサ３１４の場合、センサ自身と同一円周上で隣接する左右のセンサと上下のセンサとの悪臭濃度値の平均をとる。例えばにおいセンサ３０８の場合、悪臭平均値Ｑ１５＝（Ｚ１５＋Ｚ１６＋Ｚ１８＋Ｚ１９＋Ｚ１０＋Ｚ１４）／６、で算出する。以下同様にして悪臭平均値Ｑ１６〜Ｑ１８を算出する。
【０１１０】
においセンサ２９６〜においセンサ３０６の場合、センサ自身と同一円周上で隣接する左右のセンサとの悪臭濃度値の平均をとる。においセンサ２９６の場合、悪臭平均値Ｑ９＝（Ｚ９＋Ｚ１０＋Ｚ１４）／３、で算出する。以下同様にして、悪臭平均値Ｑ１０〜Ｑ１４を算出する。
【０１１１】
においセンサ２８０〜においセンサ２９４の場合、センサ自身と同一円周上で隣接する左右のセンサとの悪臭濃度値の平均をとる。においセンサ２８０の場合、悪臭平均値Ｑ１＝（Ｚ１＋Ｚ８＋Ｚ２）／３、で算出する。以下同様にして、悪臭平均値Ｑ２〜Ｑ８を算出する。
【０１１２】
算出した悪臭平均値Ｑ１〜Ｑ１９中で、最大値を示したにおいセンサの方向を、悪臭発生源の方向と判定する。
【０１１３】
図１８を参照して、このプログラムは、空気清浄機２３０の運転が開始されたときに起動される。このプログラムは、プラズマクラスターイオンを一定時間放出するステップＳ４０２と、ステップＳ４０２に続き、においセンサ２８０〜においセンサ３１６の特定ガス成分の濃度測定を行ない、測定結果から悪臭濃度値Ｚ１〜Ｚ１９を算出するステップＳ４０４と、ステップＳ４０４に続き、においセンサにおける１種類目の特定ガス成分の測定値Ｙ１１〜Ｙ１９１のいずれかがしきい値Ｖｃよりも大きいか否かを判定し、判定結果に応じて制御の流れを分岐させるステップＳ４０６と、ステップＳ４０６で測定値Ｙ１１〜測定値Ｙ１９１のいずれもがしきい値Ｖｃよりも大きくないと判定された場合（ＮＯの場合）に実行され、においセンサにおける２種類目の特定ガス成分の測定値Ｙ１２〜測定値Ｙ１９２のいずれかがしきい値Ｖｄよりも大きいか否かを判定し、判定結果に応じて制御の流れを分岐させるステップＳ４０８と、ステップＳ４０８で測定値Ｙ１２〜測定値Ｙ１９２のいずれもがしきい値Ｖｄよりも大きくないと判定された場合（ＮＯの場合）に実行され、悪臭濃度値Ｚ１〜悪臭濃度値Ｚ１９のいずれかがしきい値Ｖ４より大きいか否かを判定し、判定結果に応じて制御の流れを分岐させるステップＳ４１０とを含む。
【０１１４】
このプログラムはさらに、ステップＳ４１０にて悪臭濃度値Ｚ１〜悪臭濃度値Ｚ１９のいずれもがしきい値Ｖ４よりも大きくないと判定された場合（ＮＯの場合）に実行され、一定時間（ｔ秒）待つステップＳ４１２を含む。ステップＳ４１２を実行後、制御はステップＳ４０４に戻る。
【０１１５】
このプログラムはさらに、ステップＳ４０６にて測定値Ｙ１１〜Ｙ１９１のいずれかがしきい値Ｖｃよりも大きいと判定された場合（ＹＥＳの場合）、ステップＳ４０８にて測定値Ｙ１２〜Ｙ１９２のいずれかがしきい値Ｖｄよりも大きいと判定された場合（ＹＥＳの場合）、又はステップＳ４１０にて悪臭濃度値Ｚ１〜Ｚ１９のいずれかがしきい値Ｖ４より大きいと判定された場合（ＹＥＳの場合）に実行され、プラズマクラスターイオンの放出を開始するステップＳ４１４と、ステップＳ４１４に続き、悪臭発生源の方向を判定するステップＳ４１６と、ステップＳ４１６に続き、悪臭発生源に向かって消臭動作を行なうステップＳ４１８と、プラズマクラスターイオンの放出を停止するステップＳ４２０とを含む。ステップＳ４１６の処理内容は前述した。
【０１１６】
ステップＳ４１６にて判定された悪臭発生源の方向に対応して、ステップＳ４１８では以下のように消臭動作を行なう。
【０１１７】
においセンサ３１６の方向が悪臭発生源と判定された場合、吹出方向制御装置３３６により風向板２５８が調整され、上方吹出口２５２より空気清浄機の上方に一定時間送風される。
【０１１８】
においセンサ３０８〜３１４のいずれかの方向が悪臭発生源と判定された場合、上方吹出口２５２がそのにおいセンサの前方に位置するように本体カバー駆動装置３３８によって本体カバー２６０を回転させる。その後、吹出方向制御装置３３６により風向板２５８が調整され、上方吹出口２５２より上方外向きに一定時間送風される。
【０１１９】
においセンサ２９６〜３０６のいずれかの方向が悪臭発生源と判定された場合、前方吹出口２５４がそのにおいセンサの前方に位置するように、本体カバー駆動装置３３８によって本体カバー２６０を回転させる。その後、吹出方向制御装置３３６により風向板２５９が調整され、前方吹出口２５４より前方上向きに一定時間送風される。
【０１２０】
においセンサ２８０〜２９４のいずれかの方向が悪臭発生源と判定された場合、前方吹出口２５４がそのにおいセンサの前方に位置するように本体カバー駆動装置３３８によって本体カバー２６０を回転させる。その後、吹出方向制御装置３３６により風向板２５９が調整され、前方吹出口２５４より吹出口前方に一定時間送風される。
【０１２１】
ステップＳ４２０が実行された後、制御はステップＳ４０４に戻る。
【０１２２】
−動作−
空気清浄機２３０は以下のように動作する。
【０１２３】
空気清浄機２３０は運転開始とともにプラズマクラスターイオンを発生させ、上方吹出口２５２と、前方吹出口２５４とから一定時間放出し脱臭運転を行なう（Ｓ４０２）。一定時間経過後、においセンサ２８０〜においセンサ３１６を用いて室内の特定ガス成分の濃度測定を行ない、悪臭濃度値を算出する。
【０１２４】
測定値Ｙ１１〜Ｙ１９１のいずれかがしきい値Ｖｃよりも大きい場合、測定値Ｙ１２〜Ｙ１９２のいずれかがしきい値Ｖｄよりも大きい場合、又は悪臭濃度値Ｚ１〜Ｚ１９のいずれかがしきい値Ｖ４よりも大きい場合に、室内の悪臭濃度が高いと判定され、プラズマクラスターイオンを発生させ脱臭運転を再開する。
【０１２５】
このとき、悪臭濃度値Ｚ１〜Ｚ１９から悪臭平均値Ｑ１〜Ｑ１９を算出することで悪臭の発生源の方向を判定し、吹出される風が発生源に向かうように吹出方向制御装置３３６と本体カバー駆動装置３３８とにより、上方吹出口２５２及び前方吹出口２５４からの風向を調整する。この風向調整により、悪臭源に集中的にプラズマクラスターイオンを浴びせることができ、効率のよい脱臭効果が期待される。悪臭の発生源の方向判定を行なってから一定時間その方向に放出したのち、プラズマクラスターイオンの発生を停止して、再度室内の特定ガス成分の濃度測定を行ない悪臭濃度値の算出を行なう。
【０１２６】
悪臭濃度値Ｚ１〜Ｚ１９のいずれもがしきい値Ｖ４より小さい時、室内の悪臭濃度は低くなったと判定できる。室内の悪臭濃度が低くなったと判定されたときは、一定時間を置きながら室内の特定ガス成分の濃度測定及び悪臭濃度値の算出を繰返し、室内の悪臭濃度が高いと判定された時に脱臭運転を行なう。
【０１２７】
上記の動作を繰返すことで、悪臭の発生源に効率よくプラズマクラスターイオンを浴びせ続けることができ、空気清浄機の脱臭運転の時間短縮につなげることができる。
【０１２８】
また、空気清浄機２３０は、半球状のにおい検出装置２４０を用いることで、３次元的に悪臭の発生源を特定し、発生源に向かっての脱臭運転を行なうことから、より一層の脱臭運転の時間短縮が期待できる。
【０１２９】
空気清浄機１９０と空気清浄機２３０は、特定のガス成分濃度の測定ができるガスセンサをにおいセンサとして用い、においセンサの配置と測定結果から悪臭の発生源の判定ができる。さらに、プラズマクラスターイオンの放出方向を悪臭の発生源に向けて変更する制御を行なうことで効率的な脱臭操作を行ない、脱臭運転の動作時間を短縮できる。
【０１３０】
今回開示された実施の形態は単に例示であって、本発明が上記した実施の形態のみに制限されるわけではない。本発明の範囲は、発明の詳細な説明の記載を参酌した上で、特許請求の範囲の各請求項によって示され、そこに記載された文言と均等の意味および範囲内でのすべての変更を含む。
【図面の簡単な説明】
【０１３１】
【図１】本発明の第１の実施の形態に係る空気調和機２０の構成を模式的に示す図である。
【図２】空気調和機２０の構成を表すブロック図である。
【図３】室内機３０のデータベース部６０に格納されるデータのデータ構造を示す図である。
【図４】本発明の第１の実施の形態で使用される嗜好性ＩＤと空調制御の関係を示す制御パラメータテーブルを表す図である。
【図５】遠隔操作装置３２の外観図である。
【図６】遠隔操作装置３２の開蓋図である。
【図７】遠隔操作装置３２の構成を表すブロック図である。
【図８】呼気センサ装置１１２の垂直切断面における断面図である。
【図９】遠隔操作装置３２において呼気測定を行ない、測定結果を室内機３０へ送信するためのプログラム制御構造をフローチャート形式で表す図である。
【図１０】遠隔操作装置３２からの信号を室内機３０が受信したときに、制御部５８により実行されるプログラムの制御構造をフローチャート形式で表す図である。
【図１１】本発明の第２の実施の形態に係る空気清浄機１９０の外観図である。
【図１２】空気清浄機１９０の構成を表すブロック図である。
【図１３】制御部２１０により実行されるプログラム制御構造をフローチャート形式で表す図である。
【図１４】本発明の第３の実施の形態に係る空気清浄機２３０の外観図である。
【図１５】におい検出装置２４０の外観図である。
【図１６】空気清浄機２３０の構成を表すブロック図である。
【図１７】半球状部材２７０上に配置されたにおいセンサ２８０〜においセンサ３１６の相対的な配置を示す図である。
【図１８】制御部３３０により実行されるプログラム制御構造をフローチャート形式で表す図である。
【符号の説明】
【０１３２】
２０  空気調和機
３０  室内機
３２  遠隔操作装置
３４  室外機
５０  受信部
５８、１５４、２１０、３３０  制御部
６２、２１４、３３４  イオン発生装置
６４  湿度調整装置
６６  室内湿度検出器
６８  室内温度検出器
７０  室内ファン駆動回路
７２  室内ファン
７４、２１６  風向板駆動回路
７６、２１８、２５８、２５９  風向板
７８  室内熱交換器
８０、１５０  記憶部
１００  表示部
１１０  温度設定ボタン
１１２  呼気センサ装置
１１４  上ボタン
１１６  決定ボタン
１１８  下ボタン
１２０  呼気計測ボタン
１２４  個人設定ボタン
１４０  呼気計測者選択画面
１５２  操作部
１５６  送信部
１７０  センサ基板
１７２  ヒータ
１７４  ガスセンサ
１９０、２３０  空気清浄機
１９２、２５６  吸気口
１９４  吹出口
１９６、１９８、２００、２８０、２８２、２８４、２８６、２８８、２９０、２９２、２９４、２９６、２９８、３００、３０２、３０４、３０６、３０８、３１０、３１２、３１４、３１６  においセンサ
２０２  前面パネル
２０６、２５０  本体筐体
２１２、３３２  送風機
２４０  におい検出装置
２５２  上方吹出口
２５４  前方吹出口
２６０  本体カバー
２７０  半球状部材
３３６  吹出方向制御装置
３３８  本体カバー駆動装置
【図１】
2010025421.tif 000003
【図２】
2010025421.tif 000004
【図３】
2010025421.tif 000005
【図４】
2010025421.tif 000006
【図５】
2010025421.tif 000007
【図６】
2010025421.tif 000008
【図７】
2010025421.tif 000009
【図８】
2010025421.tif 000010
【図９】
2010025421.tif 000011
【図１０】
2010025421.tif 000012
【図１１】
2010025421.tif 000013
【図１２】
2010025421.tif 000014
【図１３】
2010025421.tif 000015
【図１４】
2010025421.tif 000016
【図１５】
2010025421.tif 000017
【図１６】
2010025421.tif 000018
【図１７】
2010025421.tif 000019
【図１８】
2010025421.tif 000020